【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】装置
【手続補正２】
【補正対象書類名】明細書
【補正対象項目名】特許請求の範囲
【補正方法】変更
【補正の内容】
【特許請求の範囲】
【請求項１】
少なくともナビゲーション用情報を記憶可能な携帯型記憶手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型記憶手段に記憶させる第２装置と、
前記第２装置にて前記携帯型記憶手段に記憶された前記ナビゲーション用情報を取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、その受信した放送に含まれる前記ナビゲーション用情報を携帯型記憶手段に記憶させる手段を備えた第２装置。
【請求項２】
少なくともナビゲーション用情報を記憶可能な携帯型記憶手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型記憶手段に記憶させる第２装置と、
前記第２装置にて前記携帯型記憶手段に記憶された前記ナビゲーション用情報を取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、前記番組及び／または広告を利用者に提示するとともに、前記利用者の要求に応じて、前記番組及び／または広告に関連する前記ナビゲーション用情報を携帯型記憶手段に記憶させる手段を備えた第２装置。
【請求項３】
少なくともナビゲーション用情報を記憶可能な携帯型記憶手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型記憶手段に記憶させる第２装置と、
前記第２装置にて前記携帯型記憶手段に記憶された前記ナビゲーション用情報を取得して、ナビゲーション表示を行う第３装置とを備えたナビゲーションシステムに用いられ、
携帯型記憶手段に記憶され、番組及び／または広告に関連するナビゲーション用情報を取得するための入力手段と、
前記入力手段から取得した前記ナビゲーション用情報に基づくナビゲーション表示を行う表示手段とを備えた第３装置。
【請求項４】
少なくともナビゲーション用情報を格納可能な情報蓄積手段と、
前記情報蓄積手段に少なくともナビゲーション用情報を格納することができ、前記情報蓄積手段から少なくとも前記ナビゲーション用情報を取得することができる携帯型情報処理手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型情報処理手段に出力する第２装置と、
前記携帯型情報処理手段によって前記情報蓄積手段に格納された前記ナビゲーション用情報を、前記携帯型情報処理手段を通じて取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、その受信した放送に含まれる前記ナビゲーション用情報を携帯型情報処理手段に出力する手段を備えた第２装置。
【請求項５】
少なくともナビゲーション用情報を格納可能な情報蓄積手段と、
前記情報蓄積手段に少なくともナビゲーション用情報を格納することができ、前記情報蓄積手段から少なくとも前記ナビゲーション用情報を取得することができる携帯型情報処理手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型情報処理手段に出力する第２装置と、
前記携帯型情報処理手段によって前記情報蓄積手段に格納された前記ナビゲーション用情報を、前記携帯型情報処理手段を通じて取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、前記番組及び／または広告を利用者に提示するとともに、前記利用者の要求に応じて、前記番組及び／または広告に関連する前記ナビゲーション用情報を携帯型情報処理手段に出力する手段を備えた第２装置。
【請求項６】
少なくともナビゲーション用情報を格納可能な情報蓄積手段と、
前記情報蓄積手段に少なくともナビゲーション用情報を格納することができ、前記情報蓄積手段から少なくとも前記ナビゲーション用情報を取得することができる携帯型情報処理手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型情報処理手段に出力する第２装置と、
前記携帯型情報処理手段によって前記情報蓄積手段に格納された前記ナビゲーション用情報を、前記携帯型情報処理手段を通じて取得して、ナビゲーション表示を行う第３装置とを備えたナビゲーションシステムに用いられ、
番組及び／または広告に関連するナビゲーション用情報が格納された情報蓄積手段から、少なくとも前記ナビゲーション情報を取得する携帯型情報処理手段を介して、ナビゲーション用情報を取得する入力手段と、
前記入力手段から取得した前記ナビゲーション用情報に基づくナビゲーション表示を行う表示手段とを備えた第３装置。
【請求項７】
少なくともナビゲーション用情報を格納可能な情報蓄積手段と、
番組及び／または広告に加えて、その番組及び／または広告に関連するナビゲーション用情報を放送し、前記情報蓄積手段に前記ナビゲーション用情報をダウンロード可能な第１装置と、
前記第１装置からの前記放送を受信して、前記番組及び／または広告を利用者に提示するとともに、前記利用者の要求に応じて、前記番組及び／または広告に関連する前記ナビゲーション用情報を情報蓄積手段にダウンロードすることを前記第１装置に要求する第２装置と、
前記第２装置からの要求に応じて前記第１装置が前記情報蓄積手段にダウンロードした前記ナビゲーション用情報を取得して、ナビゲーション表示を行う第３装置とを備えたナビゲーションシステムに用いられ、
前記第１装置が情報蓄積手段を有しており、
利用者の要求に応じて、番組及び／または広告に関連するナビゲーション用情報を前記情報蓄積手段にダウンロードすることを、第１装置に要求する手段を備えた第２装置。
【請求項８】
少なくともナビゲーション用情報を格納可能な情報蓄積手段と、
番組及び／または広告に加えて、その番組及び／または広告に関連するナビゲーション用情報を放送し、前記情報蓄積手段に前記ナビゲーション用情報をダウンロード可能な第１装置と、
前記第１装置からの前記放送を受信して、前記番組及び／または広告を利用者に提示するとともに、前記利用者の要求に応じて、前記番組及び／または広告に関連する前記ナビゲーション用情報を情報蓄積手段にダウンロードすることを前記第１装置に要求する第２装置と、
前記第２装置からの要求に応じて前記第１装置が前記情報蓄積手段にダウンロードした前記ナビゲーション用情報を取得して、ナビゲーション表示を行う第３装置とを備えたナビゲーションシステムに用いられ、
利用者の要求に応じて、番組及び／または広告に関連するナビゲーション用情報を、外部の情報蓄積手段にダウンロードすることを第１装置に要求する手段を備えた第２装置。
【請求項９】
少なくともナビゲーション用情報を格納可能な情報蓄積手段と、
番組及び／または広告に加えて、その番組及び／または広告に関連するナビゲーション用情報を放送する第１システムと、
前記第１システムからの前記放送を受信して、その受信した放送に含まれる前記ナビゲーション用情報を前記携帯型情報処理手段に出力する第２システムと、
前記第２システムから出力された前記ナビゲーション用情報を前記情報蓄積手段へ格納し、前記情報蓄積手段のアドレスを出力可能な携帯型情報処理手段と、
前記携帯型情報処理手段から出力された前記情報蓄積手段のアドレスを取得し、そのアドレスに基づいて前記情報蓄積手段にアクセスし、前記ナビゲーション用情報を取得し、ナビゲーション表示を行う第３システムとを備えたナビゲーションシステムに用いられ、
番組及び／または広告に関連するナビゲーション用情報が格納された情報蓄積手段のアドレスを保持した携帯型情報処理手段から、前記アドレスを取得する入力手段と、
前記入力手段から取得した前記アドレスに基づいて前記情報蓄積手段にアクセスして前記ナビゲーション用情報を取得し、ナビゲーション表示を行う表示手段とを備えた第３装置。
【手続補正３】
【補正対象書類名】明細書
【補正対象項目名】０００９
【補正方法】変更
【補正の内容】
【０００９】
本発明は、上記課題を考慮し、放送により取得したナビゲーション用情報を、実際に外出する際に利用する場合には、いちいちその取得したナビゲーション用情報を手作業で入力し直す必要がなく、従って手間のかからない装置を提供することを目的とするものである。
【手続補正４】
【補正対象書類名】明細書
【補正対象項目名】００１０
【補正方法】変更
【補正の内容】
【００１０】
また、本発明は、上記課題を考慮し、放送により取得したナビゲーション用情報を、実際に外出する際に利用する場合には、手作業で入力し直す必要がなく、従って、誤ったナビゲーション用情報が入力されることがなく、またナビゲーション用情報が紛失したりしない装置を提供することを目的するものである。
【手続補正５】
【補正対象書類名】明細書
【補正対象項目名】００１１
【補正方法】変更
【補正の内容】
【００１１】
【課題を解決するための手段】
上述した課題を解決するために、第１の本発明は、少なくともナビゲーション用情報を記憶可能な携帯型記憶手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型記憶手段に記憶させる第２装置と、
前記第２装置にて前記携帯型記憶手段に記憶された前記ナビゲーション用情報を取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、その受信した放送に含まれる前記ナビゲーション用情報を携帯型記憶手段に記憶させる手段を備えた第２装置である。
また、第２の本発明は、少なくともナビゲーション用情報を記憶可能な携帯型記憶手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型記憶手段に記憶させる第２装置と、
前記第２装置にて前記携帯型記憶手段に記憶された前記ナビゲーション用情報を取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、前記番組及び／または広告を利用者に提示するとともに、前記利用者の要求に応じて、前記番組及び／または広告に関連する前記ナビゲーション用情報を携帯型記憶手段に記憶させる手段を備えた第２装置である。
また、第３の本発明は、少なくともナビゲーション用情報を記憶可能な携帯型記憶手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型記憶手段に記憶させる第２装置と、
前記第２装置にて前記携帯型記憶手段に記憶された前記ナビゲーション用情報を取得して、ナビゲーション表示を行う第３装置とを備えたナビゲーションシステムに用いられ、
携帯型記憶手段に記憶され、番組及び／または広告に関連するナビゲーション用情報を取得するための入力手段と、
前記入力手段から取得した前記ナビゲーション用情報に基づくナビゲーション表示を行う表示手段とを備えた第３装置である。
また、第４の本発明は、少なくともナビゲーション用情報を格納可能な情報蓄積手段と、
前記情報蓄積手段に少なくともナビゲーション用情報を格納することができ、前記情報蓄積手段から少なくとも前記ナビゲーション用情報を取得することができる携帯型情報処理手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型情報処理手段に出力する第２装置と、
前記携帯型情報処理手段によって前記情報蓄積手段に格納された前記ナビゲーション用情報を、前記携帯型情報処理手段を通じて取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、その受信した放送に含まれる前記ナビゲーション用情報を携帯型情報処理手段に出力する手段を備えた第２装置である。
また、第５の本発明は、少なくともナビゲーション用情報を格納可能な情報蓄積手段と、
前記情報蓄積手段に少なくともナビゲーション用情報を格納することができ、前記情報蓄積手段から少なくとも前記ナビゲーション用情報を取得することができる携帯型情報処理手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型情報処理手段に出力する第２装置と、
前記携帯型情報処理手段によって前記情報蓄積手段に格納された前記ナビゲーション用情報を、前記携帯型情報処理手段を通じて取得して、ナビゲーション表示を行う第３装置とを備えたナビゲーションシステムに用いられ、
番組及び／または広告に加えて、その番組及び／または広告に関連するナビゲーション用情報を放送する第１装置によって放送される前記放送を受信して、前記番組及び／または広告を利用者に提示するとともに、前記利用者の要求に応じて、前記番組及び／または広告に関連する前記ナビゲーション用情報を携帯型情報処理手段に出力する手段を備えた第２装置である。
また、第６の本発明は、少なくともナビゲーション用情報を格納可能な情報蓄積手段と、
前記情報蓄積手段に少なくともナビゲーション用情報を格納することができ、前記情報蓄積手段から少なくとも前記ナビゲーション用情報を取得することができる携帯型情報処理手段と、
番組及び／または広告に加えて、その番組及び／または広告に関連するナビゲーション用情報を放送する第１装置と、
前記第１装置からの前記放送を受信して、その受信した放送に含まれる前記ナビゲーション用情報を前記携帯型情報処理手段に出力する第２装置と、
前記携帯型情報処理手段によって前記情報蓄積手段に格納された前記ナビゲーション用情報を、前記携帯型情報処理手段を通じて取得して、ナビゲーション表示を行う第３装置とを備えたナビゲーションシステムに用いられ、
番組及び／または広告に関連するナビゲーション用情報が格納された情報蓄積手段から、少なくとも前記ナビゲーション情報を取得する携帯型情報処理手段を介して、ナビゲーション用情報を取得する入力手段と、
前記入力手段から取得した前記ナビゲーション用情報に基づくナビゲーション表示を行う表示手段とを備えた第３装置である。
また、第７の本発明は、少なくともナビゲーション用情報を格納可能な情報蓄積手段と、
番組及び／または広告に加えて、その番組及び／または広告に関連するナビゲーション用情報を放送し、前記情報蓄積手段に前記ナビゲーション用情報をダウンロード可能な第１装置と、
前記第１装置からの前記放送を受信して、前記番組及び／または広告を利用者に提示するとともに、前記利用者の要求に応じて、前記番組及び／または広告に関連する前記ナビゲーション用情報を情報蓄積手段にダウンロードすることを前記第１装置に要求する第２装置と、
前記第２装置からの要求に応じて前記第１装置が前記情報蓄積手段にダウンロードした前記ナビゲーション用情報を取得して、ナビゲーション表示を行う第３装置とを備えたナビゲーションシステムに用いられ、
前記第１装置が情報蓄積手段を有しており、
利用者の要求に応じて、番組及び／または広告に関連するナビゲーション用情報を前記情報蓄積手段にダウンロードすることを、第１装置に要求する手段を備えた第２装置である。
また、第８の本発明は、少なくともナビゲーション用情報を格納可能な情報蓄積手段と、
番組及び／または広告に加えて、その番組及び／または広告に関連するナビゲーション用情報を放送し、前記情報蓄積手段に前記ナビゲーション用情報をダウンロード可能な第１装置と、
前記第１装置からの前記放送を受信して、前記番組及び／または広告を利用者に提示するとともに、前記利用者の要求に応じて、前記番組及び／または広告に関連する前記ナビゲーション用情報を情報蓄積手段にダウンロードすることを前記第１装置に要求する第２装置と、
前記第２装置からの要求に応じて前記第１装置が前記情報蓄積手段にダウンロードした前記ナビゲーション用情報を取得して、ナビゲーション表示を行う第３装置とを備えたナビゲーションシステムに用いられ、
利用者の要求に応じて、番組及び／または広告に関連するナビゲーション用情報を、外部の情報蓄積手段にダウンロードすることを第１装置に要求する手段を備えた第２装置である。
また、第９の本発明は、少なくともナビゲーション用情報を格納可能な情報蓄積手段と、
番組及び／または広告に加えて、その番組及び／または広告に関連するナビゲーション用情報を放送する第１システムと、
前記第１システムからの前記放送を受信して、その受信した放送に含まれる前記ナビゲーション用情報を前記携帯型情報処理手段に出力する第２システムと、
前記第２システムから出力された前記ナビゲーション用情報を前記情報蓄積手段へ格納し、前記情報蓄積手段のアドレスを出力可能な携帯型情報処理手段と、
前記携帯型情報処理手段から出力された前記情報蓄積手段のアドレスを取得し、そのアドレスに基づいて前記情報蓄積手段にアクセスし、前記ナビゲーション用情報を取得し、ナビゲーション表示を行う第３システムとを備えたナビゲーションシステムに用いられ、
番組及び／または広告に関連するナビゲーション用情報が格納された情報蓄積手段のアドレスを保持した携帯型情報処理手段から、前記アドレスを取得する入力手段と、
前記入力手段から取得した前記アドレスに基づいて前記情報蓄積手段にアクセスして前記ナビゲーション用情報を取得し、ナビゲーション表示を行う表示手段とを備えた第３装置である。
また、第１０の本発明は、前記第３装置で取得される前記ナビゲーション用情報は、前記第３装置が有するソフトウェアで扱えるものである第３、６、９の本発明のいずれかの装置である。
また、第１１の本発明は、前記ナビゲーション用情報には、所定の地理的情報が含まれており、
前記第３装置、その位置情報を用いて経路誘導のための設定を行う第３、６、９の本発明のいずれかの装置である。
また、第１２の本発明は、前記第３装置は、車載型情報端末である第３、６、９の本発明のいずれかの装置である。
また、第１３の本発明は、前記第３装置は、携帯型情報端末である第３、６、９の本発明のいずれかの装置である。
また、第１４の本発明は、前記ナビゲーション用情報には、インターネットの所定のＵＲＬが含まれており、
前記第３装置が、その所定のＵＲＬに基づいてアクセスする第３、６、９の本発明のいずれかの装置である。
また、第１５の本発明は、前記第２装置は、放送された前記番組及び／または広告と前記ナビゲーション用情報とを蓄積する放送番組蓄積手段を有し、
前記第２装置は、前記放送番組蓄積手段に蓄積された前記ナビゲーション用情報を、前記携帯型記憶手段に記憶させる第１、２、４、５、７、８の本発明のいずれかのシステムである。
また、第１６の本発明は、前記第２装置は、前記第２装置の利用者の視聴状況を通知する通信手段を有し、
前記第２装置が前記携帯型記憶手段に前記ナビゲーション用情報を記憶させた際、前記通信手段は、前記携帯型記憶手段に前記ナビゲーション用情報を記憶させたことを前記第１装置に通知する第１、２、４、５、７、８の本発明のいずれかのシステムである。
また、第１７の本発明は、前記第１装置は、衛星デジタル放送を利用する第１、２、４、５、７、８の本発明のいずれかの装置である。
また、第１８の本発明は、前記第１装置は、ケーブルテレビ放送及び／またはインターネットテレビ放送を利用する第１、２、４、５、７、８の本発明のいずれかのシステムである。
また、第１９の本発明は、前記第１装置が放送する前記ナビゲーション用情報は、インターネット記述言語で記述されている第１、２、４、５、７、８の本発明のいずれかの装置である。
また、第２０の本発明は、前記情報蓄積手段は、インターネットを介して参照されるデータベースで構成されている第６〜９の本発明のいずれかの装置である。
また、第２１の本発明は、前記情報蓄積手段は、近距離無線通信手段を介して参照されるデータベースで構成されている第６〜９の本発明のいずれかの装置である。
【手続補正６】
【補正対象書類名】明細書
【補正対象項目名】０１７０
【補正方法】変更
【補正の内容】
【０１７０】
なお、本実施の形態の放送事業者１０１は本発明の第１装置の例であり、本実施の形態のテレビ端末１０４は本発明の第２装置の例であり、本実施の形態の車載情報端末１１４は本発明の第３装置の例であり、本実施の形態のテレビ端末ＩＤは本発明の第１のＩＤの例であり、本実施の形態の車載情報端末ＩＤは本発明の第２のＩＤの例であり、本実施の形態の情報蓄積部１３０１は本発明の情報蓄積手段の例であり、本実施の形態の携帯型端末１３０２は本発明の携帯型情報処理手段の例であり、本実施の形態のメモリカード１１３は本発明の携帯型記憶手段の例であり、本実施の形態のタグ<navidata>で示される各旅行先情報データスクリプトは本発明のナビゲーション用情報の例である。
【手続補正７】
【補正対象書類名】明細書
【補正対象項目名】０１８８
【補正方法】変更
【補正の内容】
【０１８８】
【発明の効果】
以上説明したところから明らかなように、放送により取得したナビゲーション用情報を、実際に外出する際に利用する場合には、いちいちその取得したナビゲーション用情報を手作業で入力し直す必要がなく、従って手間のかからない装置を提供することが出来る。
【手続補正８】
【補正対象書類名】明細書
【補正対象項目名】０１８９
【補正方法】変更
【補正の内容】
【０１８９】
また、本発明は、放送により取得したナビゲーション用情報を、実際に外出する際に利用する場合には、手作業で入力し直す必要がなく、従って、誤ったナビゲーション用情報が入力されることがなく、またナビゲーション用情報が紛失したりしない装置を提供することが出来る。